(57)【要約】  本発明は、給電ケーブル（１０）のための第１のグランドと、給電サブアセンブリ（１２）のための幾つかの第２のグランド（１３）と、少なくとも１つのキャリア（３）を備えるエンクロージャ（２）とを備えるケーブルブレイクアウトアセンブリ（１）に関する。少なくとも１つのキャリアは、少なくとも１つの第２のグランドに相互接続されるのに適している。【選択図】図１
2015512605.tif 000002
【特許請求の範囲】
【請求項１】
ａ．給電ケーブルのための第１のグランドと、
ｂ．給電サブアセンブリのための幾つかの第２のグランドと、
ｃ．少なくとも１つのキャリアを備えるエンクロージャと
を備え、
ｄ．前記少なくとも１つのキャリアが、少なくとも１つの第２のグランドに相互接続されるのに適している、
ケーブルブレイクアウトアセンブリ。
【請求項２】
少なくとも１つの光ケーブルのための第２のブレイクアウト構造体を備える,請求項１に記載のケーブルブレイクアウトアセンブリ。
【請求項３】
前記第２のブレイクアウト構造体が前記キャリアに組み込まれる、請求項２に記載のケーブルブレイクアウトアセンブリ。
【請求項４】
前記第２のブレイクアウト構造体が前記キャリアの中心に配置される、請求項１〜３のいずれか一項に記載のケーブルブレイクアウトアセンブリ。
【請求項５】
前記第２のブレイクアウト構造体が前記キャリアに組み込まれる、請求項１〜４のいずれか一項に記載のケーブルブレイクアウトアセンブリ。
【請求項６】
前記第２のグランドが前記第２のブレイクアウト構造体の周囲に配置される、請求項１〜５のいずれか一項に記載のケーブルブレイクアウトアセンブリ。
【請求項７】
前記キャリアが、少なくとも１つの第２のケーブルグランドを保持するための保持手段を備える、請求項１〜６のいずれか一項に記載のケーブルブレイクアウトアセンブリ。
【請求項８】
前記エンクロージャが、装着位置で前記キャリアを少なくとも部分的に取り囲む、上側ケーシングおよび下側ケーシングを備える、請求項１〜７のいずれか一項に記載のケーブルブレイクアウトアセンブリ。
【請求項９】
前記上側ケーシングと前記下側ケーシングとが長さ方向でまたは横方向で相互に作用する、請求項８に記載のケーブルブレイクアウトアセンブリ。
【請求項１０】
前記給電ケーブルの第１の軸線と少なくとも１つのピグテールサブアセンブリの第２の軸線とが互いに平行に配置される、請求項１〜９のいずれか一項に記載のケーブルブレイクアウトアセンブリ。
【請求項１１】
前記ブレイクアウトエンクロージャにはケーシング樹脂が少なくとも部分的に充填される、請求項１〜１０のいずれか一項に記載のケーブルブレイクアウトアセンブリ。
【請求項１２】
ａ．エンクロージャを用意するステップと、
ｂ．キャリアを用意するステップと、
ｃ．少なくとも１つの第２のケーブルグランドを前記キャリアに取り付けるステップと、
ｄ．前記キャリアを前記エンクロージャに取り付けるステップと、
ｅ．前記エンクロージャを密閉するステップと
を備えるケーブルブレイクアウトアセンブリの組み付け方法。
【請求項１３】
前記第２のケーブルグランドが前記キャリアに取り付けられる前に給電サブアセンブリが前記第２のケーブルグランドに取り付けられる、請求項１２に記載の方法。
【請求項１４】
前記第２のケーブルグランドが前記キャリアに取り付けられる前に第２のブレイクアウト構造体が前記キャリアに取り付けられる、請求項１２または１３に記載の方法。
【請求項１５】
前記第２のブレイクアウト構造体の周囲に幾つかの前記第２のケーブルグランドが配置される、請求項１２〜１４のいずれか一項に記載の方法。
【発明の詳細な説明】
【技術分野】
【０００１】
本発明は、ケーブルブレイクアウトアセンブリ・リーモトラジオヘッド（ＲＲＨ）に関する。
【背景技術】
【０００２】
アンテナ塔からの信号を増幅して送信するためのラジオヘッドおよび他の機器は、従来、その設置やメンテナンスを容易にするために、アンテナ塔の最下部に配置されていた。しかしながら、この形態では、遭遇する信号損失および電力消費量に関して問題を伴ってきた。
【０００３】
いわゆるリモートラジオヘッド（ＲＲＨ）は、今日の新たな分散基地局の重要なサブシステムになってきている。リモートラジオヘッドは、一般に、基地局のＲＦ回路と、アナログ‐デジタル／デジタル‐アナログコンバータおよびアップ／ダウンコンバータとを含む。また、ＲＲＨは、動作処理能力および管理処理能力も有する場合もあり、また、基地局の残りの部分に接続するための標準的な光インタフェースも有する場合がある。塔の最上部への送信構成要素および増幅構成要素の移設は、信号損失や所要電力の減少に役立ったが、塔の上方に延びる給電ケーブルに信号が通される場合であっても、個々の増幅器への信号電力をブーストするために、ＤＣ電源ケーブルを塔の上方へ延ばす必要もあった。また、この種の従来技術のシステムでは、塔の最上部でそれぞれの増幅器ごとに別個の給電ケーブルを個々のラジオリード線に接続する必要があった。
【０００４】
この構成は、多数のケーブルを塔の上方へ延ばす必要があり、それが多数のケーブルの引き込みを伴うとともに塔における空間を不適切に占有するという点において問題をもたらす。設置業者が一般に必要とされるケーブル引き込みごとに費用を請求するため、ケーブル数の増加に伴って設置費用が増大し、また、塔の所有者がケーブル数によって費用を請求する場合もあるため、全体の費用が増加することを考えると、このような構成は特に費用がかかる。塔における多重ケーブル形態に関連する風荷重問題に加えて、多数のケーブルによって増加する重量は欠点となり得る。また、より多くの構成要素の使用は、設置工程の増大の可能性をもたらすとともに、より多くの接続と関連するより多くのメンテナンス問題をもたらす。
【０００５】
米国海軍に譲渡された米国特許第６９６３６９０号明細書が最初に２００５年に公開された。この特許は、ハイブリッド電気／光ファイバケーブルを終端処理するためのデバイスに関するものである。コネクタは、「ｋ−チューブ」（ｗｗｗ．ｋ−ｔｕｂｅ．ｃｏｍ参照）上のスエージロックに影響を及ぼしてコネクタ内でのｋ−チューブの動きとそれに伴う光ファイバへの損傷とを防止するクランプアセンブリを備える。クランプアセンブリは２つのクランプ半体を備え、そのうちの少なくとも一方は、ｋ−チューブ溝、１つ以上の光ファイバ溝、扇形に広がるキャビティ、および、クランプ半体を接合するための手段を含む。米国特許第６９６３６９０号明細書は、本発明に係るＲＲＨに関して適用できない。
【０００６】
同じ出願人から、マストの上方へ延びるケーブルの量を最小限に抑えるハイブリッドケーブルアセンブリが成功裏に市場に提供された。コンパクトなディバイダが、１本のマルチファイバ／ワイヤケーブルを、ＲＲＨに対して直接にあるいは延長ジャンパを介して結合される個々の耐久性が高い屋外ケーブルに分割する。このケーブルシステムは、頑丈な牽引チューブのような優れた設置特性と、基地局のストリップおよび過剰な電源ケーブルを整理して管理できる方法とを有する。
【発明の概要】
【発明が解決しようとする課題】
【０００７】
本発明の目的は、改良されたケーブルブレイクアウトアセンブリを提供することである。本発明の更なる目的は、改良されたハイブリッドケーブルブレイクアウトアセンブリを提供することである。
【課題を解決するための手段】
【０００８】
本発明に係る改良されたケーブルブレイクアウトアセンブリは、単一の給電ケーブルと、ラジオ（セル）塔の最上部の多数の個々の増幅器に電力を供給できる関連するアセンブリとをもたらすことができる能力を与える。また、本発明は、単一のケーブルでＲＲＨとデータをやりとりできる能力を与える。本発明に係る構成は、塔の上方へ延びるケーブルの数およびケーブル引き込みを減少させるとともに、必要とされる接続の数を減少させる。塔の最上部では、環境的にシールされた容器内であるいはシールされた可撓性導管を通じて、単一の給電ケーブルが増幅器のための多くのラジオリード線と接続する。
【０００９】
本発明に係るケーブルブレイクアウトアセンブリの利点は、簡単で効率的な形態および組み付けによってもたらされる。また、本発明に係るケーブルブレイクアウトアセンブリは、非常に頑丈な構造にもかかわらずコンパクトで軽量な構造を与える。これは、ケーブルブレイクアウトアセンブリが特別な構造を伴うエンクロージャを備えるという点において達成される。エンクロージャは、サブアセンブリのための少なくとも１つのケーブルグランドを受けるのに適したキャリアを備える。キャリアは、ケーブルブレイクアウトアセンブリを組み付けるときに少なくとも１つのケーブルグランドをキャリアに容易に取り付けることができるように形成されるのが好ましい。
【００１０】
本発明の１つの実施形態によれば、ケーブルブレイクアウト構造体が提供される。ブレイクアウトの数は、最終的に、給電ケーブルのサイズによって決定され、この場合、当業者によって理解され得るように、設けることができる給電ケーブルが大きければ大きいほど、ブレイクアウトの数も多くなる。例えば、例えば、６−導線給電ケーブルは３回接続され、そのため、それぞれの接続セクションはホット線、中性線、および、ドレイン線を含む。給電ケーブルの各接続セクションのこれらの線は、例えば薄いめっき銅からなる接続クリンプで２つの導線およびそれぞれのラジオケーブルのドレイン線と共に圧着される。各接続／圧着セクションは収縮チューブ（例えば、１／２インチ収縮チューブ）でシールされてもよく、収縮チューブは、接続／圧着部分を取り囲むとともに、その両端が接続された給電ケーブルおよびラジオリードケーブルのケーブルジャケットの一部分上にわたってそれぞれ延びている。このようにして、個々にシールされた６つの接続クリンプは、１つの給電ケーブルと、３つの分離したラジオリード線との間のインタフェースとして設けられる。接続／圧着セクションの全領域も、例えば収縮チューブブート内でシールされ、収縮チューブブートも、その４つの端部で、給電ケーブルジャケットおよび各ラジオリード線のケーブルジャケットと重なり合う。
【００１１】
ケーブルブレイクアウトセクションは、その後、ケーブルブレイクアウトエンクロージャ内で取り囲まれてシールされる。好ましい実施形態のケーブルブレイクアウトエンクロージャは、互いに嵌合する２つの半体を備える。少なくとも２つのケーブルグランドのためのキャリアは、エンクロージャの外側ケーシングの一部を形成してもよい。
【００１２】
本発明に係るケーブルブレイクアウトアセンブリの性能および信頼性の向上は、例えば、単一の給電ケーブルを使用することにより設置費用（より少ないケーブル引き込み、より少ないホイストグリップ、アース用ストラップ、および、支持ブロック）および塔料金（より少ないケーブル）が低減するという点において、また、保守点検が仮にあったとしても保守点検が必要となる頻度が減るため、保守点検およびメンテナンス費用が低減されあるいは避けられるという点において、費用効率が高い解決策でもある。また、本発明のこの実施形態に係るケーブルブレイクアウトアセンブリは、給電ケーブルをより長い長さ（例えば、２００＋ｍ）でリール上に供給できるようにするとともに、工具を必要としない直接配置のための「プラグアンドプレイ」特性を与え、それにより、ハードウエアおよび設置時間が削減される。本発明の１つの態様によれば、ケーブルブレイクアウトアセンブリは、一巻の給電ケーブルと、給電ケーブルが接続される前の位置でその一端部に取り付けられるブレイクアウトエンクロージャの一部分と、エンクロージャ内に収容されるとともにそれに圧着されるラジオリード線と接続するシールされた接続／圧着ブレイクアウトセクションと、ブレイクアウトエンクロージャの他端から突出するラジオリード線延在部とを含み、ラジオリード線延在部は、本発明のプラグアンドプレイ利点を可能にするために例えばコネクタと嵌合される。
【００１３】
環境的に保護された各可撓性導管内の分離されたケーブルセクションの両端はそれぞれ、ハイピンカウント（ｈｉｇｈ  ｐｉｎ  ｃｏｕｎｔ）バッカニアコネクタ（Ｂｕｃｃａｎｅｅｒ  ｃｏｎｎｅｃｔｏｒ）の一端などのデバイスと結合し、ハイピンカウントバッカニアコネクタは他端がラジオリードケーブルに接続される。すなわち、その構成において、バッカニアコネクタは、分離された給電ケーブルセクションとそれぞれのラジオリードケーブルとの間のインタフェースとして機能する。可撓性導管内の給電ケーブルセクションとインタフェース接続可能な他のデバイスまたはケーブルとしては、リモートラジオヘッド（ＲＲＨ）、アンテナ、リモート電子チルト（ＲＥＴ）、および、他の適したコネクタが挙げられるが、これらに限定されない。
【００１４】
本発明の第２の実施形態の別の態様によれば、ケーブルブレイクアウトアセンブリは、一巻の給電ケーブルと、給電ケーブルが分割される前の位置でその一端に取り付けられる接続パックブレイクアウト構造体と、接続パックブレイクアウト構造体の他端から突出する可撓性導管とを含み、可撓性導管は、本発明のプラグアンドプレイ利点を可能にするために、例えばコネクタと嵌合される。
【００１５】
一実施形態において、本発明に係るケーブルブレイクアウトアセンブリは、接続されあるいは複数のセクションに分離されるようになっている給電ケーブルを備え、各セクションは少なくともホット線および中性線を含む。複数の給電ケーブルセクションに対応する複数のラジオリード線は、圧着または同様の手段で給電ケーブルのそれぞれの接続セクションに接合される。ブレイクアウトエンクロージャは、閉端と開端とを有する第１の部分であって、開端が第１の部分の内部空間へのアクセスを可能にする第１の部分と、閉端と開端とを有する第２の部分であって、開端が第２の部分の内部空間へのアクセスを可能にする第２の部分と、第１の部分の閉端に設置されるとともに第１の部分の閉端から延びる単一ポートケーブルグランドを有するケーブルナットであって、給電ケーブルが単一ポートケーブルグランドを貫通して延びるケーブルナットと、第２の部分の閉端に設置されるとともに第２の部分の閉端から延びる少なくとも１つの単一ポートケーブルグランドをポートの総数が複数のラジオリード線に対応するようにそれぞれが有する１つ以上のケーブルナットであって、ラジオリード線のそれぞれの端が前記ケーブルグランドを貫通して延びるケーブルナットとを含む。複数の第１の耐環境シール構造体は、給電ケーブルの接続セクションとそれぞれのラジオリード線との間で各クリンプを取り囲み、また、第２の耐環境シール構造体は、それぞれのシールされたクリンプを取り囲むとともに、シールされたクリンプの直前で給電ケーブルのケーブルジャケットの一部分上にわたって延び、また、シールされたクリンプの直後でそれぞれのラジオリード線のケーブルジャケットの一部分上にわたって延びて、シールされて圧着されるケーブルブレイクアウトセクションを規定する。ブレイクアウトエンクロージャの第１の部分の開端は、ブレイクアウトエンクロージャの第２の部分の開端と螺合して、シール材でシールされるとともに、シールされて圧着されるケーブルブレイクアウトセクションを内部に封入する。また、ケーブルブレイクアウトアセンブリは、複数の導線を有するとともに複数の導線セクションに分離されるようになっている給電ケーブルと、給電ケーブルが貫通して延びる単一ポートケーブルグランドを有するケーブルナットと螺合される第１の端部、給電ケーブルが通過するセクションを収容する中央導管、および、マルチポートケーブルグランドを有するケーブルナットと螺合される反対側の第２の端部であって、マルチポートケーブルグランドのポート数が給電ケーブルの接続の数に対応する第２の端部を有するブレイクアウト構造体（接続パック）と、マルチポートグランドの各ポートと接続して該ポートから延びる第１の端部、および外部デバイスと接続するようになっている第２の端部をそれぞれが有するとともに、それぞれが給電ケーブルの各接続セクションを内部に収容する複数の可撓性導管とを備えてもよい。
【００１６】
本発明に係る好ましいケーブルブレイクアウトアセンブリは、一般に、第１の端部と第２の端部とを有するブレイクアウトエンクロージャを備える。給電ケーブルが第１の端部に取り付けられ、また、少なくとも２つの給電ピグテールサブアセンブリが第２の端部に取り付けられる。各給電ピグテールサブアセンブリは、リモートラジオヘッドと相互接続されることを見込んだ電気コネクタを備える。適切な場合には、給電ピグテールサブアセンブリをＲＲＨに配線接続することができる。一実施形態では、ブレイクアウトエンクロージャの第１の端部と第２の端部とが互いに距離を隔てて反対側に配置される。適切な場合には、第１の端部と第２の端部とを互いに角度を成して配置することができる。給電ケーブルの第１の軸線と少なくとも１つのピグテールサブアセンブリの第２の軸線とを互いに平行に配置することが好ましい。適用分野に応じて、給電ケーブルの第１の軸線と少なくとも１つのピグテールサブアセンブリの第２の軸線とを互いに対して角度を成して配置することができる。一実施形態では、第１の軸線と第２の軸線との間の距離が０〜２０センチメートル（ｃｍ）の範囲内である。好ましい実施形態において、ケーブルブレイクアウトアセンブリは、少なくとも１つの光伝送ピグテールサブアセンブリを有するハイブリッド構成を有しており、それにより、光伝送ピグテールサブアセンブリの数が給電ピグテールサブアセンブリの数に対応する。
【００１７】
また、本発明に係る給電ケーブルは、少なくとも１つの光ファイバを受け入れることを見込んだ少なくとも１つの第１の空き導管（ダクトワーク）を備える。光ファイバは、第１の空き導管内でこの第１の空き導管に対して移動できることが好ましい。適切な場合には、それぞれの光ファイバごとに単一のダクトワークを予見できる。一実施形態において、第１の空き導管は、少なくとも１つの光ファイバを受け入れることを見込んだ少なくとも１つの第２の空き導管が終端する第２のブレイクアウト構造体で終端する。第２の空き導管は、第２のブレイクアウト構造体に対して第１の空き導管と略反対側に配置されることが好ましい。これに代えてあるいはこれに加えて、給電ケーブルが幾つかの第１の空き導管を備え、それぞれの第１の空き導管が光ピグテールサブアセンブリの光コネクタで直接終端してもよい。
【００１８】
本発明に係るケーブルブレイクアウトアセンブリは、通常、工場で終端処理されるファイバと、一体化されてシールドされた電力ケーブルとを有することが好ましいハイブリッドケーブルアセンブリを備える。プラグアンドプレイ設置によってケーブルブレイクアウトアセンブリを設置することが可能となり、それにより、−従来技術とは異なり−現場での終端処理／ラッピング／または他の準備が不要となる。
【００１９】
一実施形態において、本発明に係るケーブルブレイクアウトアセンブリは、給電ケーブルのための少なくとも１つの第１のグランドと、少なくとも２つの給電サブアセンブリのための幾つかの第２のグランドとを備える。少なくとも１つの第１のグランドおよび少なくとも２つの第２のグランドは、装着位置で、少なくとも１つのキャリアを備えるエンクロージャに相互接続される。キャリアは、エンクロージャから取り外しできるように形成されることが好ましい。第２のグランドは、キャリアに取り付けられるように形成される。キャリアがエンクロージャから取り外しできるように形成される場合、第２のグランドは、エンクロージャの外側でキャリアに取り付けられることが好ましい。すなわち、給電サブアセンブリは、個別に組み付けられて第２のグランドに取り付けられ、その後、第２のグランドがキャリアに取り付けられる。その後、キャリアは、エンクロージャが閉じられる前に、エンクロージャの少なくとも１つのケーシングに取り付けられる。キャリアは、ケーブルブレイクアウトアセンブリのエンクロージャの外側構造体の一部を形成してもよい。必要に応じて、ケーシングの内側が少なくとも部分的にケーシング樹脂によって充填される。
【００２０】
適切であれば、ケーブルブレイクアウトアセンブリは、少なくとも１つの光ケーブルのための第２のブレイクアウト構造体を備えてもよい。好ましい実施形態では、第２のブレイクアウト構造体がキャリアに組み込まれる。第２のブレイクアウト構造体はキャリアの中心に配置されてもよい。第２のブレイクアウト構造体は、キャリアに組み込まれてもよく、または、別個の部品として形成されてもよい。第２のグランドが第２のブレイクアウト構造体の周囲に配置されれば、容易な組み付けを達成できる。キャリアは、少なくとも１つの第２のケーブルグランドを保持するための保持手段を備えてもよい。保持手段（例えばフィンガ）は、第２のグランドをフィンガ上にあるいはフィンガ間にスナップ留めできるように形成することができる。エンクロージャは、装着位置でキャリアを少なくとも部分的に取り囲む、上側ケーシングおよび下側ケーシングを備えてもよい。上側ケーシングと下側ケーシングとが、長さ方向であるいは横方向で互いに相互に作用してもよい。給電ケーブルの第１の軸線と少なくとも１つのピグテールサブアセンブリの第２の軸線とが互いに平行に配置されてもよい。
【００２１】
本発明に係るケーブルブレイクアウトアセンブリの組み付けのための方法は、エンクロージャを用意するステップと、キャリアを用意するステップと、少なくとも１つの第２のケーブルグランドをキャリアに取り付けるステップと、キャリアをエンクロージャに取り付けるステップと、エンクロージャを密閉するステップとを備えてもよい。適切な場合には、第２のケーブルグランドがキャリアに取り付けられる前に給電サブアセンブリが第２のケーブルグランドに取り付けられる。適切な場合には、第２のケーブルグランドがキャリアに取り付けられる前に第２のブレイクアウト構造体がキャリアに取り付けられる。適切な場合には、第２のブレイクアウト構造体の周囲に幾つかの前記第２のケーブルグランドが配置される。
【００２２】
本発明のより良い理解のため、添付の特許請求の範囲に記載される発明に対する限定と見なされるべきでない添付図面と関連して読まれる以下の詳細な説明を参照されたい。
【図面の簡単な説明】
【００２３】
【図１】ケーブルブレイクアウトアセンブリを斜視図で示す。
【図２】図１に係るケーブルブレイクアウトアセンブリを開放状態で示す。
【図３】ケーシングを伴わないケーブルブレイクアウトアセンブリを示す。
【図４】ケーブル用のキャリアを示す。
【図５】図４に係るキャリアを部分的に切断された態様で示す。
【発明を実施するための形態】
【００２４】
他に何も示唆されないときには、同様の部分が同じ参照数字を用いて示される。
【００２５】
図１は、ブレイクアウトエンクロージャ２を伴うケーブルブレイクアウトアセンブリ１を斜視図で示している。図２は、開放したブレイクアウトエンクロージャ２と共にケーブルブレイクアウトアセンブリ１を示している。図３は、図２に係る外部ケーシング２を伴わないケーブルブレイクアウトアセンブリ１を示している。図４は、キャリア３を斜視的態様で示している。図５は、第２のブレイクアウト構造体５のハウジング４の詳細を示している。
【００２６】
ケーブルブレイクアウトアセンブリ１は、第１のケーブルグランド１１を介してブレイクアウトエンクロージャ２の第１の端部に相互接続される給電ケーブル１０を備える。第１のケーブルグランド１１は、以下で更に詳しく説明される特別な形式を成す。ブレイクアウトエンクロージャ２の反対側の端部では、幾つかの給電サブアセンブリ１２が第２のケーブルグランド１３を介してブレイクアウトエンクロージャ２に相互接続される。第２のケーブルグランド１３は、中央に配置される幾つかの第２の導管１４を取り囲む周辺的態様で配置される。第２の導管１４は、データを例えばリモートラジオヘッドへ送信するための光ファイバ（詳しく示されない）を受けるのに適している。図示の実施形態において、キャリア３は、エンクロージャ２およびその外形状のそれぞれの一部を形成している。閉じられた位置で、キャリアは、上側および下側ケーシング６，７と強固に結合する。エンクロージャ２は、ケーシング樹脂を充填してエンクロージャ２の内部を少なくとも部分的に満たすための開口（詳しく示されない）を備えてもよい。ケーシング樹脂は、エンクロージャの内側を環境の影響から保護するようになっている。適切な場合には、エンクロージャ２および／またはキャリア３は、ケーブルブレイクアウトアセンブリ１をマスト（詳しく示されない）に沿って引き上げることができるようにするアダプタに対して相互接続できるように装備されあるいは形成され得る。アダプタは、例えば、ロープを接続できるフックまたはアイの形状を有することができる。
【００２７】
図２では、ケーブルブレイクアウトアセンブリ１の内側を部分的に見ることができるようにエンクロージャ２が開放状態で示される。エンクロージャ２は、ボルト８によって互いに取り付けられる上側ケーシング６および下側ケーシング７を備える。線９によって組み付けが概略的に示される。給電サブアセンブリ１２のそれぞれは、相互接続されるデバイス、例えばリモートラジオヘッドなどへの電気エネルギーの供給のための少なくとも１つのワイヤ１５を備える。通常の形態において、給電サブアセンブリ１２は、少なくとも１つのホット線と、少なくとも１つの中性線とを備える。適切な場合には、給電サブアセンブリ１２は、同軸ケーブルまたは光ケーブルなど（詳しく示されない）の情報をやりとりするための手段を更に備えることができる。図示の実施形態において、給電サブアセンブリ１２の幾つかの（異なる）ワイヤ１５は、例えば第１のコネクタ１６により、給電ケーブル１０の関連するワイヤ１７に相互接続される。
【００２８】
図３は、エンクロージャ２を伴わないケーブルブレイクアウトアセンブリ１を示す。給電サブアセンブリ１２のワイヤ１５とそれに関連する給電ケーブル１０のワイヤ１７とが分離された態様で示される。また、第１のケーブルグランド１１が部分的に切断された態様で示される。分離された給電サブアセンブリ１２の第２のケーブルグランド１３は、それらを第２のケーブルグランド１３の中央に配置されるキャリア３に機械的に相互接続できるように形成される。組み付けの経路が第２の組み付け経路１８によって概略的に示される。
【００２９】
図４には、キャリア３および第２のケーブルグランド１３が反対方向において分離された態様で示される。図示のように、示された実施形態のキャリア３は、径方向に配置されるとともに第２のケーブルグランド１３を受けて保持するように形成されるフィンガ１９を備える。第２のケーブルグランドは、２つの隣り合うフィンガ１９により形成されるここでは半円状の凹部２０内に径方向で挿入され得る。第２のケーブルグランド１３は、それらが凹部２０内に正確に嵌まり込むように形成されることが好ましい。特に、エンクロージャ２がケーシング樹脂（詳しく示されない）で満たされる場合には、これが望ましくない漏れを防止する。
【００３０】
図４に示されるケーブルグランド１３は、六角ベース２８を有するボトムリング２７から突出する幾つかの可撓性フィン２６を備える。ボトムリング２７は、フィンガ１９間の凹部２０内に配置され得るように形成される。これにより、六角ベース２８は、キャリア３上の装着位置で、例えば中心に配置されるキャリア３を取り囲んで、六角ベース２８の外形状が互いに及び／またはキャリア３と嵌まり合うように形成される。キャリア３は対応する外形状を備える。適用分野に応じて、グランド１３およびキャリア３が別の構造を有してもよい。フィン２６は、それらが給電サブアセンブリ１２のケーブル２９の異なる直径に容易に適合できるように形成される。グランド１３をケーブル２９に取り付けるために、ケーブル２９がフィン２６の内側に配置される。その後、ヒートシンクチューブ３０がフィン上に配置されるとともに、適切な接着剤（詳しく示されない）がフィンとケーブル２９との間に配置され、それにより、信頼できる接続が形成される。可撓性フィン２６は、生じる力の非常に良好な分配を与える。フィン２６を有するケーブルグランドは、他の用途のために使用することができる。
【００３１】
図５に係る部分切断図において最も良く分かるように、図示の実施形態のキャリア３は、光ケーブル（詳しく示されない）用の第２のブレイクアウト構造体５のハウジング４として作用するとともに、それぞれ該ハウジング４を備える。ハウジング４は１つの第１の導管２１と幾つかの第２の導管１４とに対して相互接続され、これらの導管の全てがハウジング４内の区画室３１（図５参照）で終端する。図５では、ハウジング４が分解された態様で示される。ハウジング４は、ｘ方向で組み付けられ得る前側部品２２および後側部品２３を備える。図示の実施形態において、第２の導管１４は、エポキシ樹脂２４によってハウジング４の前側部品２２に取り付けられる。ハウジング４の前側部品２２は、第２の導管１４を挿入できる少なくとも１つの開口２５を備え、この開口で、これらの第２の導管が挿入後にエポキシ樹脂２４によって固定される。第１の導管２１は、区画室２２内で互いから分離されて第２の導管１４内へ挿入される幾つかの光ファイバを受けることが見込まれる。第２の導管は１つ以上の光ファイバ（詳しく示されない）を受けることができる。
【符号の説明】
【００３２】
１…ケーブルブレイクアウトアセンブリ（第１のブレイクアウト構造体）、２…エンクロージャ（ブレイクアウトエンクロージャ）、３…キャリア、４…ハウジング（第２のブレイクアウト構造体）、５…第２のブレイクアウト構造体、６…上側ケーシング、７…下側ケーシング、８…ボルト、９…線（組み付けの経路）、１０…給電ケーブル、１１…第１のケーブルグランド、１２…給電サブアセンブリ、１３…第２のケーブルグランド、１４…第２の導管、１５…ワイヤ（給電サブアセンブリ）、１６…第１のコネクタ、１７…ワイヤ（給電ケーブル）、１８…第２の組み付け経路、１９…フィンガ（キャリア）、２０…凹部（第２のグランド用）、２１…第１の導管、２２…前側部品、２３…後側部品、２４…エポキシ樹脂、２５…開口（ハウジング４）、２６…フィン（ケーブルグランド）、２７…ボトムリング、２８…六角ベース、２９…サブアセンブリのケーブル、３０…ヒートシンクチューブ、３１…区画室。
【図１】
2015512605.tif 000003
【図２】
2015512605.tif 000004
【図３】
2015512605.tif 000005
【図４】
2015512605.tif 000006
【図５】
2015512605.tif 000007
【国際調査報告】
2015512605.tif 000008
2015512605.tif 000009
2015512605.tif 000010